(57)【要約】【課題】光軸調整を容易化する技術を提供する。【解決手段】車両に搭載される灯火装置であって、ハウジングおよび前記ハウジングに支持された光源を有するライトユニットと、前記ライトユニットを支持し、車両に対する前記ライトユニットの向きを変えて光の照射方向である光軸を調整する調整機構と、を備え、前記調整機構は、前記光軸上の点を可動中心として前記ライトユニットの向きを変更可能に構成されている。【選択図】図１
2017174754.tif 000002
【特許請求の範囲】
【請求項１】
車両に搭載される灯火装置(100,200,300)であって、
ハウジング(111,211,311)および前記ハウジング(111,211,311)に支持された光源(112,212,312)を有するライトユニット(110,210,310)と、
前記ライトユニット(110,210,310)を支持し、車両に対する前記ライトユニット(110,210,310)の向きを変えて光の照射方向である光軸(L)を調整する調整機構(120,220,320)と、を備え、
前記調整機構(120,220,320)は、前記光軸(L)上の点(C)を可動中心として前記ライトユニット(110,210,310)の向きを変更可能に構成されている
ことを特徴とする灯火装置。
【請求項２】
前記ハウジング(111,211,311)は、前記光源(112,212,312)を取り囲む球面形状のリフレクタ(111a,311a)を含む
ことを特徴とする請求項１に記載の灯火装置。
【請求項３】
前記調整機構(120,220)は、車両と前記ライトユニット(110,210)とを接続するボールジョイント(121,221)を含み、
前記光軸(L)上の前記点(C)とは、前記ボールジョイント(121,221)のボールの中心である
ことを特徴とする請求項１または請求項２に記載の灯火装置。
【請求項４】
前記調整機構(120,220)は、前記ライトユニット(110,210)を車両に対して傾けるための操作部(122,222)を含み、
前記操作部(122,222)は、前記光軸(L)から離間した部位において前記ライトユニット(110,210)に当接する
ことを特徴とする請求項３に記載の灯火装置。
【請求項５】
前記光源(112,212,312)はＬＥＤである
ことを特徴とする請求項１から請求項４のいずれか１項に記載の灯火装置。
【請求項６】
前記ライトユニット(210)は、前記光源(212)の光を投射するレンズ(215)と、前記光源(212)が搭載された基板(213)とを更に有するヘッドライトユニットであり、
前記ハウジングは、前記光軸(L)の方向に延びた筒状部材(211)であり、
前記筒状部材(211)の一端部は前記レンズ(215)に当接し、前記筒状部材(211)の他端部は前記基板(213)に当接する
ことを特徴とする請求項１から請求項５のいずれか１項に記載の灯火装置。
【請求項７】
前記調整機構(120,220,320)は、少なくとも第１方向(X)および第２方向(Z)のいずれにも前記ライトユニット(110,210,310)の向きを変更可能であり、
前記第１方向(X)とは、前記光軸(L)と直交する方向であり、
前記第２方向(Z)とは、前記第１方向(X)および前記光軸(L)と直交する方向である
ことを特徴とする請求項１から請求項６のいずれか１項に記載の灯火装置。
【発明の詳細な説明】
【技術分野】
【０００１】
本発明は、車両に搭載される灯火装置に関する。
【背景技術】
【０００２】
車両用の灯火装置（ヘッドライト）のなかには、光の照射方向である光軸を調整するための調整機構を備えるものがある（例えば特許文献１）。ユーザは、このような調整機構を用いて光軸を調整し、照明範囲を適切に設定することができる。また、自動二輪車等の車検には検査項目の１つとして光軸検査があるため、ユーザは定期的に光軸調整を行う必要があり、ユーザにとって調整が容易であることが求められる。
【先行技術文献】
【特許文献】
【０００３】
【特許文献１】特開２０１５−１５１８７号公報
【発明の概要】
【発明が解決しようとする課題】
【０００４】
従来の調整機構では、ユーザによる調整の感覚（調整機構の操作の感覚）と実際の光軸方向とが合致しない場合があり、例えば、一方向について光軸を調整すると、他方向において意図しない光軸のずれが生じる場合がある。そのため、従来の調整機構によると、光軸調整を行うユーザには相応の経験や勘が求められる場合が多く、光軸調整を行うことは容易ではない。
【０００５】
本発明の目的は、光軸調整を容易化することにある。
【課題を解決するための手段】
【０００６】
請求項１の本発明は、
車両に搭載される灯火装置(100,200,300)であって、
ハウジング(111,211,311)および前記ハウジング(111,211,311)に支持された光源(112,212,312)を有するライトユニット(110,210,310)と、
前記ライトユニット(110,210,310)を支持し、車両に対する前記ライトユニット(110,210,310)の向きを変えて光の照射方向である光軸(L)を調整する調整機構(120,220,320)と、を備え、
前記調整機構(120,220,320)は、前記光軸(L)上の点(C)を可動中心として前記ライトユニット(110,210,310)の向きを変更可能に構成されている
ことを特徴とする。
【０００７】
請求項２の本発明は、
前記ハウジング(111,211,311)は、前記光源(112,212,312)を取り囲む球面形状のリフレクタ(111a,311a)を含む
ことを特徴とする。
【０００８】
請求項３の本発明は、
前記調整機構(120,220)は、車両と前記ライトユニット(110,210)とを接続するボールジョイント(121,221)を含み、
前記光軸(L)上の前記点(C)とは、前記ボールジョイント(121,221)のボールの中心である
ことを特徴とする。
【０００９】
請求項４の本発明は、
前記調整機構(120,220)は、前記ライトユニット(110,210)を車両に対して傾けるための操作部(122,222)を含み、
前記操作部(122,222)は、前記光軸(L)から離間した部位において前記ライトユニット(110,210)に当接する
ことを特徴とする。
【００１０】
請求項５の本発明は、
前記光源(112,212,312)はＬＥＤである
ことを特徴とする。
【００１１】
請求項６の本発明は、
前記ライトユニット(210)は、前記光源(212)の光を投射するレンズ(215)と、前記光源(212)が搭載された基板(213)とを更に有するヘッドライトユニットであり、
前記ハウジングは、前記光軸(L)の方向に延びた筒状部材(211)であり、
前記筒状部材(211)の一端部は前記レンズ(215)に当接し、前記筒状部材(211)の他端部は前記基板(213)に当接する
ことを特徴とする。
【００１２】
請求項７の本発明は、
前記調整機構(120,220,320)は、少なくとも第１方向(X)および第２方向(Z)のいずれにも前記ライトユニット(110,210,310)の向きを変更可能であり、
前記第１方向(X)とは、前記光軸(L)と直交する方向であり、
前記第２方向(Z)とは、前記第１方向(X)および前記光軸(L)と直交する方向である
ことを特徴とする。
【発明の効果】
【００１３】
請求項１の発明によれば、ライトユニットの可動中心が光軸上に位置するため、光軸調整に際して可動中心が光軸上からずれないため、ユーザによる調整の感覚（調整機構の操作の感覚）と実際の光軸方向とが合致し易くなる。したがって、光軸調整を容易化することができる。
【００１４】
請求項２の発明によれば、光源からの光束を照射方向に向けて適切に反射することができ、ユーザによる調整の感覚と実際の光軸方向とが合致し易くなる。
【００１５】
請求項３の発明によれば、ライトユニットを所望の方向に向けて光軸を調整することができる。
【００１６】
請求項４の発明によれば、操作部によるライトユニットに対する作用点が光軸から離間した位置であるため、少ない操作量で光軸を調整することができる。
【００１７】
請求項５の発明によれば、その大きさや指向性のために微量の光軸調整によって光軸が大きく変わってしまうＬＥＤを用いた場合でも、ユーザによる調整の感覚と実際の光軸方向とが合致し易くなり、光軸調整を容易化することができる。
【００１８】
請求項６の発明によれば、筒状部材をスペーサとして用いることができ、レンズと光源との距離の精度を高くすることができる。
【００１９】
請求項７の発明によれば、光軸調整において最低限必要な二方向にライトユニットの向きを変えることができるため、ライトユニットを所望の方向に向けて光軸を調整することができる。
【図面の簡単な説明】
【００２０】
【図１】灯火装置の構造の一例を説明するための図である。
【図２】灯火装置の構造の一例を説明するための図である。
【図３】調整機構の構造の一例を説明するための図である。
【発明を実施するための形態】
【００２１】
以下、添付図面を参照しながら本発明の好適な実施形態について説明する。なお、各図は、構造ないし構成を説明する目的で記載されたものに過ぎず、図示された各部材の寸法は必ずしも現実のものを反映するものではない。
【００２２】
（第１実施形態）
図１（Ａ）及び図１（Ｂ）を参照しながら、第１実施形態に係る灯火装置１００について述べる。図中には、灯火装置１００の構造の理解を容易にするため、Ｘ方向、Ｘ方向と直交するＹ方向、並びに、Ｘ方向及びＹ方向で形成される平面に対して直交するＺ方向を示す。Ｙ方向は車両の進行方向に対応し、Ｘ方向は該進行方向に進む車両の左右方向（即ち水平方向）に対応し、また、Ｚ方向は該進行方向に進む車両の上下方向（即ち垂直方向）に対応する。図１（Ａ）において矢印ｄ１の方向（ここではＹ方向と平行）での平面視における構造を図１（Ｂ）に示す。そして、図１（Ａ）は、図１（Ｂ）において矢印ｄ２の方向（ここではＺ方向と平行）での平面視における構造であって一点鎖線で図示されるカットラインでの断面構造を示す。
【００２３】
灯火装置１００は、車両用の灯火装置である。搭載される車両は、四輪車、二輪車に代表される鞍乗型車両、その他の車両のいずれでもよい。また、灯火装置は、ヘッドライト、テールライト等のいずれでもよい。以下、本実施形態では、自動二輪車のヘッドライトに適用した場合の灯火装置を想定する。
【００２４】
灯火装置１００は、光軸Ｌの光を投射する装置であり、ライトユニット１１０および調整機構１２０を備える。ライトユニット１１０は、ハウジング１１１、光源１１２、基板１１３、カプラ１１４及びレンズ１１５を含む。
【００２５】
ここで、光軸Ｌは光の照射方向を意味する。典型的には、光軸Ｌは、ライトユニット１１０から出力された光の光強度分布のうち光強度が最大値となる点と、光源１１２の中心とを結ぶ直線に相当する。構造との関係で言えば、例えば、光源１１２が単一であり且つ後述のリフレクタ１１１ａの中心に位置する場合、光源１１２の中心を通り且つハウジング１１１の開口端面の法線方向とすることができる。同様に、光源１１２を複数設けた場合には、それらを包絡する図形の中心を通り且つハウジング１１１の開口端面の法線方向とすることができる。なお、本実施形態の場合、光源１１２は単一（１つ）である。
【００２６】
ハウジング１１１は、光源１１２を取り囲む形状を有している。本実施形態では、球面形状（半球状）であるが、光源１１２を取り囲む形状をしていればよく、その一部に平らな部分や角部を有していてもよい。ハウジング１１１の内壁にはリフレクタ１１１ａが設けられている。リフレクタ１１１ａは、例えば光反射性の材料で構成され、光源１１２の光を前方へ反射する。リフレクタ１１１ａは、ハウジング１１１の外形と同様に、光源１１２を取り囲む球面形状（半球状）を有しているが、光源１１２を取り囲む形状をしていればよく、その一部に平らな部分や角部を有していてもよい。リフレクタ１１１ａは、図１（Ａ）に示されるように、光軸Ｌを通る断面において光軸Ｌを中心として線対称に形成されるとよい。これにより、光源１１２からの光を照射方向に向けて適切に反射することができる。リフレクタ１１１ａは、ハウジング１１１の内壁を構成すればよいが、ハウジング１１１の大部分または実質的に全ての部分を構成してもよい。
【００２７】
光源１１２は通電により光を発生するものであれば、ＬＥＤ（発光ダイオード）、ＨＩＤランプ、ハロゲンランプ、その他のランプのいずれでもよいが、本実施形態ではＬＥＤを用いた。既に述べた通り、本実施形態では光源１１２は一つ設けられているが、複数の光源が設けられていてもよい。
【００２８】
基板１１３は、光源１１２を搭載するための回路基板であり、板状の部材である。基板１１３は、図１（Ｂ）に図示されるように、本実施形態では平面視において円形であるが、他の例では四角形等の多角形でもよい。また、基板１１３は、光源１１２とは反対側の面で、ハウジング１１１に対して固定されている。基板１１３は、本実施形態では不図示の接着部材によってハウジング１１１に固定されるが、他の方法で固定されてもよく、例えばネジによる締結によって固定されてもよい。
【００２９】
カプラ１１４は、光源１１２を駆動するのに必要な電力および信号を光源１１２に供給するためのコネクタであり、基板１１３に接続されている。本実施形態では、ハウジング１１１に貫通孔が形成されており、カプラ１１４は該貫通孔を通って基板１１３に接続されている。
【００３０】
レンズ１１５は、光源１１２をハウジング１１１内に封止するようにハウジング１１１の開口端に固定される。レンズ１１５は、本実施形態では不図示の接着部材によってハウジング１１１の開口端に固定されるが、他の方法で固定されてもよく、例えばネジによる締結によって固定されてもよい。レンズ１１５の内側の面には、光源１１２からの光およびリフレクタ１１１ａにより反射された光を所望の方向に配光するためのパターンが形成されうる。レンズ１１５は、本実施形態では平板状のものを図示したが、典型的には、所定の曲率を伴って光の照射方向に突出した形状をとりうる。
【００３１】
調整機構１２０は、ライトユニット１１０を支持し、車両に対するライトユニット１１０の向きを変えて光軸Ｌを調整する機構である。本実施形態の場合、調整機構１２０は、支持部材１３０、ボールジョイント１２１および操作部１２２１〜１２２３（以下、これらを特に区別しない場合には単に「操作部１２２」という。）を含む。
【００３２】
ボールジョイント１２１は、先端がボール状に成形された球状の凸部（ボール部）１２１ａと、該凸部と係合する球状の凹部１２１ｂとを含む。
【００３３】
支持部材１３０は、車両に固定されるブラケットであり、例えば、フロントフォークに対して固定される。本実施形態では、凸部１２１aが、支持部材１３０の取付面Ａ側に固定され、凹部１２１ｂが、ライトユニット１１０（ハウジング１１１）側に固定された構成を例示した。しかしながら、凸部１２１ａと凹部１２１ｂとの位置関係は逆でもよい。
【００３４】
操作部１２２は、ライトユニット１１０を車両に対して傾けるための部材であり、即ち、ユーザが光軸調整のための操作を行うための部材である。本実施形態の場合、操作部１２２は、支持部材１３０の面Ａとは反対側の面Ｂ側からハウジング１１１まで延在する棒状部材１２２ａと、棒状部材１２２ａの面Ｂ側の端部に配されたつまみ１２２ｂと、面Ａ側に配されたナット１２２ｃとを含む。棒状部材１２２ａは、支持部材１３０を貫通するネジ穴１３１に螺合するネジ部を有する。このため、つまみ１２２ｂをまわすことによって、棒状部材１２２ａの面Ａからの突出長を変えることができ、それにより、ライトユニット１１０の向き（即ち、光軸Ｌ）を変えることができる。また、ナット１２２ｃを用いて、棒状部材１２２ａの面Ａからの突出長を維持するように、棒状部材１２２ａを固定する。
【００３５】
棒状部材１２２ａとハウジング１１１とが当接する部分では、これらは互いに連結されているとよい。例えば、これらの連結部分を、長穴とそれに係合する軸とが遊嵌した構造や、バネで連結された構造としてもよい。本実施形態では、棒状部材１２２ａの先端に貫通孔１２２ｄが設けられており、また、ハウジング１１１には、リング状の部材１４０が貫通孔１２２ｄを通るように設けられている。このような構造により、棒状部材１２２ａとハウジング１１１とは互いに連結されている。他の例では、棒状部材１２２ａとハウジング１１１とは、磁石によって相対変位可能に連結されてもよい。
【００３６】
本実施形態では、図１（Ｂ）に示されるように、３つの操作部１２２１〜１２２３が配されており、これにより、光軸ＬをＸ方向およびＺ方向のいずれにも調整することができる。操作部１２２１〜１２２３のそれぞれについて、棒状部材１２２ａは、光軸Ｌに平行に配置され、つまみ１２２ｂとは反対側の端部において、ライトユニット１１０のハウジング１１１に、光軸Ｌから離間した部位で当接している。そのため、操作部１２２１〜１２２３のそれぞれについて、少ない操作量で光軸Ｌを調整することができる。
【００３７】
具体的には、操作部１２２１の操作位置（当接点、即ち、ハウジング１１１への作用点）は、光源１１２からＺ方向にシフトした位置であり、操作部１２２１はライトユニット１１０の向きをＺ方向に変えるのに用いられる。操作部１２２２及び１２２３の操作位置は、光源１１２を中心として対称になるように且つ光源１１２からＸ方向にシフトした位置に並んでおり、操作部１２２２及び１２２３はライトユニット１１０の向きをＸ方向に変えるのに用いられる。なお、本実施形態では３つの操作部１２２が設けられたが、操作部１２２の数はこれに限られない。
【００３８】
このような構成によると、操作部１２２を用いてライトユニット１１０をＸ方向及びＺ方向のいずれにも回動させることができ、それにより、ライトユニット１１０の向きをＸ方向及びＺ方向のいずれにも変えることができる。
【００３９】
調整機構１２０は、操作部１２２と併用して、又は、操作部１２２に代えて、ボールジョイント１２１の回動を解除可能にロックするロック機構を含んでもよい。例えば、ロック機構は、凸部１２１ａに到達するように凹部１２１ｂに設けられたネジ穴に螺合するネジを含み、このネジを締めることにより、凸部１２１ａと凹部１２１ｂとの間での回動はロックされる。ユーザは、例えば直接的に（手動で）ライトユニット１１０を回動させて光軸調整をした後、ライトユニット１１０をその向きの状態に維持しながら、ロック機構を用いてライトユニット１１０をその向きの状態で固定することができる。
【００４０】
本実施形態によると、ライトユニット１１０の向きは、光軸Ｌ上の点Ｃを可動中心としてＸ方向およびＺ方向のいずれにも変更可能であり、ライトユニット１１０を所望の方向に向けて光軸Ｌを調整することができる。可動中心Ｃは、ボールジョイント１２１のボールの中心と一致する。換言すると、ライトユニット１１０をいずれの方向に回動させても、それらの光軸Ｌは、１つの点（可動中心Ｃ）で互いに交差する。例えば、図１（Ａ）の状態の照射方向を第１の光軸とし、この状態からＸ方向にライトユニット１１０を回動させたときの照射方向を第２の光軸とする。また、図１（Ａ）の状態の照射方向からＺ方向にライトユニット１１０を回動させたときの照射方向を第３の光軸とする。この場合、第１〜第３の光軸は可動中心Ｃで互いに交差しうる。
【００４１】
このような構成によると、ライトユニット１１０の可動中心Ｃは、ライトユニット１１０がいずれの方向を向いている場合でも光軸Ｌ上に位置し、光軸調整に際して可動中心Ｃが光軸上からずれない。そのため、ユーザによる調整の感覚（調整機構１２０の操作の感覚）と実際の光軸方向とが合致し易くなる。例えば、ユーザが操作部１２２を用いて光軸調整を行う際に、ユーザが予想する調整量と、実際の調整量との間に生じうる誤差（調整誤差）を小さくし、光軸調整の際のユーザの操作感覚のずれ（直観からのずれ）を低減することができる。更に、Ｘ方向について光軸調整を行う場合と、Ｚ方向について光軸調整を行う場合との間でのずれをも防ぐこともできる。例えば、Ｘ方向およびＺ方向の一方について光軸を調整しても他方における光軸のずれが生じないようにすることができる。よって、本実施形態によると、ユーザは、適切な光軸調整を容易に行うことができる。
【００４２】
特に、光源としてＬＥＤを用いる場合、ＬＥＤの大きさ（サイズ）や指向性のため、典型的には、微量の光軸調整によっても光軸が大きく変わりうる。しかし、本実施形態によると、光源１１２としてＬＥＤを用いた場合でも、ユーザによる調整の感覚と実際の光軸方向とが合致し易くなり、光軸調整を容易化することができる。
【００４３】
（第２実施形態）
図２を参照しながら、第２実施形態に係る灯火装置２００について述べる。灯火装置２００は、ライトユニット２１０および調整機構２２０を備える。ライトユニット２１０は、ハウジング２１１、光源２１２、基板２１３、締結部材２１４及びレンズ２１５を含む。ハウジング２１１は、光源２１２を取り囲み且つ光軸Ｌに延びた筒状部材であり、内壁においてリフレクタを含んでいてもよい。なお、第１実施形態同様、光源２１２にはＬＥＤが用いられればよい。
【００４４】
基板２１３は、光源２１２を搭載するための回路基板であり、その周辺部において締結部材２１４（ネジ等）によってハウジング２１１の端部Ｐにおいて当接され、固定されている。光源２１２は、ハウジング２１１内に位置するように基板２１３上に設置される。レンズ２１５は、光源２１２の光を投射するためのレンズであり、基板２１３とは反対側の端部Ｑにおいて、光源２１２をハウジング２１１内に封止するように当接され、固定されている。
【００４５】
レンズ２１５のハウジング２１１と当接する側の一部にはネジ溝が形成されている。また、ハウジング２１１の端Ｑ側の部分は、レンズ２１５に係合するように凹部が形成されており、且つ、その側面にはネジ溝が形成されている。レンズ２１５のネジ溝とハウジング２１１のネジ溝とは互いに螺合し、レンズ２１５をハウジング２１１に対して回すことにより、レンズ２１５をハウジング２１１の凹部の底面に突き当てて（接触させて）固定することができる。そのため、筒状部材であるハウジング２１１の長さ（Ｙ方向の長さ）は、レンズ２１５の寸法（例えば、焦点距離等の光学的な設計値）に基づいて決定されればよい。
【００４６】
調整機構２２０は、例えば、ボールジョイント２２１および操作部２２２を含むが、これらは、第１実施形態の調整機構１２０のボールジョイント１２１および操作部１２２同様の作用を有するため、ここではこれらの説明を省略する。
【００４７】
本実施形態によると、ハウジング２１１は、光軸Ｌの方向に延びた筒状部材であり、一端部Ｑでレンズ２１５に当接し且つ他端部Ｐで基板２１３に当接する。これにより、ハウジング２１１は、レンズ２１５と光源２１２との距離を規定するスペーサとして作用する。そのため、本実施形態によると、前述の第１実施形態で述べた効果が得られる他、レンズ２１５と光源２１２との距離の精度を高くすることができる。
【００４８】
（第３実施形態）
前述の第１実施形態では、調整機構１２０として、ボールジョイント１２１及び操作部１２２を用いた構成を例示したが、調整機構１２０は、互いに交差する２方向のいずれにおいても任意に光軸を調整できる構成であればよい。例えば、ボールジョイント１２１および操作部１２２に代えて、２つのヒンジが用いられてもよい。
【００４９】
図３は、第３実施形態に係る灯火装置３００の構造を、前述の第１実施形態（図１）同様に示している。図３（Ａ）において矢印ｄ３の方向（ここではＹ方向と平行）での平面視における構造であって一点鎖線で図示されるカットラインでの断面構造を図３（Ｂ）に示す。そして、図３（Ａ）は、図３（Ｂ）において矢印ｄ４の方向（ここではＺ方向と平行）での平面視における構造であって一点鎖線で図示されるカットラインでの断面構造を示す。
【００５０】
灯火装置３００は、ライトユニット３１０および調整機構３２０を備える。ライトユニット３１０は、ハウジング３１１（及びリフレクタ３１１ａ）、光源３１２、基板３１３、カプラ３１４、レンズ３１５及び基部３１６を含む。ハウジング３１１、リフレクタ３１１ａ、光源３１２、基板３１３、カプラ３１４及びレンズ３１５については、第１実施形態のハウジング１１１、リフレクタ１１１ａ、光源１１２、基板１１３、カプラ１１４及びレンズ１１５同様の作用を有するため、ここではこれらの説明を省略する。基部３１６は、ライトユニット３１０のうち調整機構３２０側に位置する部位であり、詳細については後述とするが、調整機構３２０の内側基材３２１ｂにヒンジ３２３ｂにより連結されており、内側基材３２１ｂに対して回動可能である。
【００５１】
調整機構３２０は、外側基材３２１ａ、それに対応するつまみ３２２ａ及びヒンジ３２３ａ、並びに、内側基材３２１ｂ、それに対応するつまみ３２２ｂ及びヒンジ３２３ｂを含む。外側基材３２１ａは、ネジ等の固定機構によって支持部材１３０に固定された底部３２１ａ１と、底部３２１ａ１の両端からＹ方向に突出した突出部３２１ａ２とを含む。内側基材３２１ｂは、外側基材３２１ａの底部３２１ａ１と平行に位置する底部３２１ｂ１と、底部３２１ｂ１の外周からＹ方向に突出した突出部３２１ｂ２とを含む。他の観点では、内側基材３２１ｂは、ライトユニット３１０側から支持部材１３０側に向かって陥凹したリセス構造を有している。
【００５２】
外側基材３２１ａ（の突出部３２１ａ２）と内部基材３２１ｂ（の突出部３２１ｂ２）とは、Ｚ方向に延びたヒンジ３２３ａにより互いに連結されている。内側基材３２１ｂとヒンジ３２３ａとは互いに固定されている。そして、ユーザは、つまみ３２２ａを用いて、外側基材３２１ａとヒンジ３２３ａとを互いに回動可能な状態にし、又は、互いに固定された状態にすることができる。即ち、つまみ３２２ａを緩めることにより、軸ＡＸ１を中心に内側基材３２１ｂを外側基材３２１ａに対して回動させることができ、つまみ３２２ａを絞めることにより、内側基材３２１ｂを外側基材３２１ａに対して固定することができる。
【００５３】
また、ライトユニット３１０の基部３１６は、内部基材３２１ｂの陥凹部の中に位置しており、内部基材３２１ｂ（の突出部３２１ｂ２）は、Ｘ方向に延びたヒンジ３２３ｂにより基部３１６に連結されている。基部３１６とヒンジ３２３ｂとは互いに固定されている。そして、ユーザは、つまみ３２２ｂを用いて、内側基材３２１ｂとヒンジ３２３ｂとを互いに回動可能な状態にし、又は、互いに固定された状態にすることができる。即ち、つまみ３２２ｂを緩めることにより、軸ＡＸ２を中心に内側基材３２１ｂに対してライトユニット３１０（の基部３１６）を回動させることができ、つまみ３２２ｂを絞めることにより、内側基材３２１ｂに対してライトユニット３１０を固定することができる。
【００５４】
本実施形態によると、つまみ３２２ａ及び３２２ｂを用いて、ライトユニット３１０をＸ方向及びＺ方向のいずれにも回動させることができ、それにより、ライトユニット３１０の向きをＸ方向及びＺ方向のいずれにも変えることができる。ここで、ヒンジ３２３ａによる内側基材３２１ｂの回動軸ＡＸ１と、ヒンジ３２３ｂによる基部３１６の回動軸ＡＸ２とは、光軸Ｌ上において互いに交差する。図３（Ｂ）に図示されるように、回動軸ＡＸ１と回動軸ＡＸ２との交差点は、前述の第１実施形態で述べた可動中心Ｃに相当し、交差点Ｃは光軸Ｌ上に位置する。
【００５５】
このような構成によると、前述の第１実施形態のボールジョイント１２１と同様の機能を実現することが可能であり、即ち、ライトユニット３１０の向きを、光軸Ｌ上の点Ｃを可動中心としてＸ方向およびＺ方向のいずれにも変更することができる。したがって、本実施形態によっても前述の第１実施形態と同様の効果が得られる。
【００５６】
回動軸ＡＸ１と回動軸ＡＸ２と光軸Ｌとは点Ｃにおいて互いに交差することが望ましいが、ライトユニット３１０は、光源３１２そのものが回動軸ＡＸ１と回動軸ＡＸ２との交差点Ｃに位置するように構成されてもよい。
【００５７】
（その他）
以上、いくつかの好適な態様を例示したが、本発明はこれらの例に限られるものではなく、本発明の趣旨を逸脱しない範囲で、その一部が変更されてもよい。また、本明細書に記載された個々の用語は、本発明を説明する目的で用いられたものに過ぎず、本発明は、その用語の厳密な意味に限定されるものでないことは言うまでもなく、その均等物をも含みうる。
【符号の説明】
【００５８】
１００：灯火装置、１１０：ライトユニット、１１１：ハウジング、１１２：光源、１２０：調整機構、Ｌ：光軸、Ｃ：可動中心。
【図１】
2017174754.tif 000003
【図２】
2017174754.tif 000004
【図３】
2017174754.tif 000005